(57)【要約】【課題】  本考案は、竣工当時の住宅やビル等の建物、その他の構造物、或いは機械部品等の設計図を、保存方法を特に気にすることなく長期間保存することができる設計図表示体を提供することを目的とする。【解決手段】  金属、セラミックス、樹脂、木材から選択される剛基体３の表面に、設計図６が印刷により表示されて成る設計図表示体２である。【選択図】  図１
0003112461.tif 000002
【実用新案登録請求の範囲】
【請求項１】
金属、セラミックス、樹脂、木材から選択される剛基体の表面に、設計図が印刷により表示されて成る設計図表示体。
【請求項２】
前記剛基体に、前記設計図が焼付けにより表示されて成る請求項１に記載の設計図表示体。
【請求項３】
前記セラミックスの剛基体が陶板である請求項１又は請求項２に記載の設計図表示体。
【請求項４】
前記設計図の少なくとも一部が、前記表面に形成された凹凸により表示された請求項１乃至請求項３のいずれかに記載の設計図表示体。
【請求項５】
前記設計図が建築物設計図である請求項１乃至請求項４のいずれかに記載の設計図表示体。
【請求項６】
前記建築物設計図がライフラインの配設図を含む請求項５に記載の設計図表示体。
【考案の詳細な説明】
【技術分野】
【０００１】
本考案は、住宅やビル等の建物、その他の構造物等の設計図を、長期間保存することができる設計図表示体に関する。
【背景技術】
【０００２】
従来、住宅、ビル等の建物、その他の構造物を建築する際には、これら建築物の平面図、立面図、断面図、矩計図等のいわゆる設計図が作成され、この設計図をもとに施工される。また、作成された設計図は、紙に印刷されて施主に渡されるのが一般的である。
【考案の開示】
【考案が解決しようとする課題】
【０００３】
しかし、上述の通り、設計図は殆どの場合が紙に印刷されて施主に渡されるため、施主による設計図の保存状態によっては、この設計図を再利用することができない。
【０００４】
すなわち、建築物、特に一般住宅においては、竣工後数年から数十年経過すると、建築物の老朽化、家族構成や生活環境の変化等に伴って、増築・改築が行われる場合がある。この増改築を行う際にも当然に設計図が作成されるわけであるが、竣工当時の設計図が現存していれば、増改築用の設計図は非常に容易に作成することができる。しかし、建築物の増改築は、建築物の竣工から少なくとも数年、長いときには数十年経過後に行われることになり、竣工当時の設計図が紙に印刷されたものである場合、その保存状態が良好であることは殆どなく、線図が色褪せて不鮮明になっている場合が多い。従って、まず実際の建築物から設計図を起こした後に増改築用の設計図を作成しなければならず非常に手間である。
【０００５】
また、建築物の設計図には、間柱の配設状況や筋交いの有無等といった壁内の構造等も表されるが、上述のように竣工当時の設計図に係る線図が色褪せて不鮮明になると、壁内の構造を把握することも非常に困難となり、増改築の際には、壁内の構造を別途調査しなければならず非常に手間である。更に、設計図を紛失している場合も少なくない。
【０００６】
そこで本考案は、竣工当時の住宅やビル等の建物、その他の構造物等の設計図を、保存方法を特に気にすることなく長期間保存することができる設計図表示体を提供することを目的とする。
【課題を解決するための手段】
【０００７】
即ち、本考案の要旨とするところは、金属、セラミックス、樹脂、木材から選択される剛基体の表面に、設計図が印刷により表示されて成る設計図表示体である。
【０００８】
かかる設計図表示体において、前記剛基体には、前記設計図が焼付けにより表示され得る。
【０００９】
かかる設計図表示体において、前記セラミックスの剛基体は陶板であり得る。
【００１０】
かかる設計図表示体において、前記設計図の少なくとも一部が、前記表面に形成された凹凸により表示され得る。
【００１１】
かかる設計図表示体において、前記設計図は建築物設計図であり得る。
【００１２】
かかる設計図表示体において、前記建築物設計図がライフラインの配設図を含む態様であってもよい。
【考案の効果】
【００１３】
本考案の設計図表示体によると、設計図を有形的に長期間保存することができる。
【００１４】
また、本考案の設計図表示体において、陶板等のセラミックスの剛基体に設計図を焼付けにより表示することによって、より耐候性に優れた設計図表示体が得られる。従って、設計図が例えば建築物設計図である場合には、建築物の増改築を行う際に増改築用の設計図を容易に作成することができ、非常に有用である。更に、この建築物設計図にライフラインの配設図も併記しておくことによって、設計図の作成が容易であると共に、増改築、ライフラインのメンテナンス作業等において非常に有用な情報源となる。
【００１５】
また、建築物設計図を焼付けた本考案の設計図表示体は、竣工時に施主に対する記念品、展示品としても有用である。
【００１６】
また、本考案の設計図表示体に係る設計図の少なくとも一部を、剛基体の表面に形成された凹凸により表示されることによって、記念品や展示品として更に趣のある設計図表示体を得ることができる。
【考案を実施するための最良の形態】
【００１７】
以下、本考案の態様を図面に基づいて説明するが、本考案の態様は以下に示したものに限定されない。
【００１８】
図１に、本考案の設計図表示体の一態様を示す。設計図表示体２は、セラミックスの剛基体３である矩形の陶板４の表面に、設計図６が焼付けにより表示されて成る。なお、本考案に係る「剛基体」とは、容易に変形することのない剛性を備えた部材を意味する。
【００１９】
より具体的には、まず土（粘土）を任意のサイズ及び形状に成形して乾燥し、素焼きを行う。そして、塗料（釉薬）で着色して焼成することによって、任意の色、サイズ及び形状の陶器（セラミックス）の剛基体３である陶板４が得られる。なお、図１に示した陶板４は矩形であるが、本考案に係る陶板４の形状はこれに限定されず、例えば、円形、楕円形、正方形等、何れであってもよい。
【００２０】
一方、設計図６は、ＣＡＤ等で作成された設計図をもとにして、まずシルクスクリーン印刷により陶板４の表面に印刷される。本実施態様では、スクリーンに２００メッシュのナイロン製メッシュ布を使用し、印刷には釉薬を使用した。印刷後、陶板４を窯焼きすることによって、陶板４の表面に釉薬で印刷された設計図６が焼付けられ、設計図表示体２が得られる。なお、スクリーンのメッシュサイズは上記の２００メッシュに限定されず、１００〜３００メッシュのメッシュ布が適用できるが、設計図における細かい線図を表現する上では１５０〜２５０メッシュのものが特に好ましい。また、設計図６の印刷方法もシルクスクリーン印刷に限定されず、転写印刷等によって設計図６が印刷されてもよい。
【００２１】
このようにして得られた設計図表示体２は、陶板４の表面に釉薬により印刷された設計図６が焼付けられているため、紙に印刷された設計図に比べて耐候性に優れており、設計図６を有形的に長期間保存することができる。
【００２２】
また、設計図表示体２のように、陶板４に焼付けられた設計図６が一般住宅の平面図のような建築物設計図である場合には、建築物の増改築を行う際に増改築用の設計図を容易に作成することができる。すなわち、一般に建築物の増改築は、建築物の竣工から少なくとも数年、長いときには数十年経過後に行われることになるが、竣工当時の設計図が紙に印刷されたものであると、保存状態によっては印刷されていた線図が色褪せて不鮮明となり、当時の設計図をもとに増改築用の設計図を作成することが非常に困難となる。しかし、本考案の設計図表示体２によれば、長期間にわたって設計図６を保存することができるため、この設計図６をもとにして容易に増改築用の設計図を作成することができる。
【００２３】
また、建築物の設計図には、間柱の配設状況や筋交いの有無等といった壁内の構造等も表されているため、増改築の際に壁内の構造を把握するための非常に有用な情報源ともなる。
【００２４】
更に、設計図表示体２は、竣工時に施主に対する記念品としても非常に有用であると共に、陶板４の陶器独特の質感により展示品としても非常に有用である。なお、記念品や展示品として設計図表示体２を飾ったり展示したりする際には、別体のスタンド等を使用して載置してもよく、また壁掛け式としてもよい。更には、タイルのような建材の一種として床面や壁面へのタイル施工時に設計図表示体２を施工する、或いは床面、壁面等に予め設けておいた凹部へ嵌め込むといった方法により、壁面等の一部を構成するような態様で展示してもよい。
【００２５】
以上、本考案の一態様である設計図表示体２について詳述したが、本考案は上述の態様に限定されない。例えば、図１に示した設計図表示体２に係る陶板４の表面には、設計図６として一般住宅の平面図が焼付けられているが、陶板４の表面に焼付けて表示される設計図６は、住宅やビル等の建物、その他の構造物の平面図、立面図、断面図、矩計図等、特に限定されるものではない。また、設計図６として、上記のこれら建築物設計図に、ガスや水道、電気、電話等のライフラインの配設図が併記されてもよい。ライフラインの配設図が併記された建築物設計図が陶板４の表面に表示されていることによって、増改築用の設計図が作成容易であると共に、ライフラインのメンテナンス作業等においても非常に有用な情報源となる。
【００２６】
更に、設計図６としては、上述した建築物設計図のみならず、機械部品等のあらゆる設計図を焼付けることも可能である。また更に、設計図６に関する情報を表す文字、記号、図形や装飾用の模様等が併記されてもよい。
【００２７】
以上、本考案の設計図表示体の態様について説明したが、本考案はその趣旨を逸脱しない範囲で、当業者の知識に基づき種々の改良、修正、変形を加えた態様で実施し得るものである。
【００２８】
例えば、本考案に係るセラミックスの剛基体としては、上述した陶板４のような陶器から成るものに限定されず、磁器やガラス等から成る剛基体であってもよい。また、セラミックスの剛基体の形状も平板状に限定されず、円柱状、彎曲した板状等であってもよい。なお、セラミックスに焼付けられる設計図が建築物設計図であって、後に増改築用の設計図を作成する際に有効利用し易いのは、陶板４のような平板状のセラミックスの剛基体である。
【００２９】
更に、本考案に係る剛基体はセラミックスの剛基体に限定されず、銅、アルミニウム、ステンレス等の金属、プラスチック等の樹脂、木材等から成る剛基体であってもよい。これら剛基体の形状も特に限定されず、平板状、円柱状、彎曲した板状等、容易に変形することのない剛性を備えていればよい。
【００３０】
また更に、本考案に係る設計図の少なくとも一部、例えば、一般住宅の平面図における浴槽やトイレ、シンク等を、剛基体の表面に形成した凹凸により表示することによって、設計図に立体感を与えて設計内容を把握し易くすると共に、記念品や展示品としても更に趣のある設計図表示体が得られる。なお、剛基体の表面の凹凸は、彫刻やエッチング等により形成することができるが、凹凸の形成方法は特に限定されない。
【００３１】
また、剛基体の表面に形成された凹凸の部分やその他の線図を、任意の色に着色して設計図を色分け表示することによって、設計内容が更に把握し易くなると共に、記念品や展示品としても更に装飾効果の高い設計図表示体が得られる。
【図面の簡単な説明】
【００３２】
【図１】本考案の設計図表示体の一態様を示す斜視図である。
【符号の説明】
【００３３】
２：設計図表示体
３：剛基体
４：陶板
６：設計図
【図１】
0003112461.tif 000003